(57)【要約】【課題】背圧仕切帯を旋回鏡板に安定して密封摺動させ、かつ摺動接触面全体に均等化させるとともに、部品点数を削減した高効率、高信頼性、低コストのスクロール圧縮機を提供すること。【解決手段】軸受部材８の環状溝１０に切り起こし付きリング部材１９を背圧仕切帯１４とともに設置することにより、切り起こし部２０のばね効果で背圧仕切帯１４を安定して密封摺動させるとともに、平面部２１を介して背圧仕切帯１４が支持されるので、旋回鏡板に押圧される力を均等化することができ、背圧仕切帯１４の部分的な摩耗の促進を抑えることができる。【選択図】図３
2009121379.tif 000002
【特許請求の範囲】
【請求項１】
圧縮機構を、固定スクロールと、この固定スクロールと互いに噛み合わせて複数個の圧縮空間を形成するように配設した旋回スクロールと、この旋回スクロールの自転を防止するオルダムリングと、前記旋回スクロールを駆動するクランク軸と、このクランク軸を支承する軸受部材とで構成し、前記旋回スクロールの旋回鏡板に二種類の圧力を作用させるために、前記軸受部材に環状溝を設け、この環状溝に、複数の切り起こしを設けたリング部材を介して背圧仕切帯を設置したスクロール圧縮機。
【請求項２】
リング部材に設けた複数の切り起こしの方向が互いに対であるとした請求項１に記載のスクロール圧縮機。
【発明の詳細な説明】
【技術分野】
【０００１】
本発明は、空気調和機やヒートポンプ式給湯機などに用いられるスクロール圧縮機に関するものである。
【背景技術】
【０００２】
従来より、代表的な圧縮機の一つとしてスクロール圧縮機があり、その構造および原理は広く公知である。以下、図４ないし図６に示すスクロール圧縮機を例にとり、図面とともに説明する（例えば、特許文献１参照）。
【０００３】
圧縮機構１は、固定スクロール２と、この固定スクロール２と互いに噛み合わせて複数個の圧縮空間３を形成するように配設した旋回スクロール４と、この旋回スクロール４の自転を防止するオルダムリング６と、旋回スクロール４を駆動するクランク軸７と、このクランク軸７を支承する軸受部材８とで構成されている。
【０００４】
軸受部材８の軸方向支持部９には、環状溝１０が設けられており、この環状溝１０に、ばね部材１２と、リング部材１３と、背圧仕切帯１４とが設置されている。そして、この背圧仕切帯１４は、軸方向支持部９と微小隙間１１を介して対面する旋回スクロール４の旋回鏡板５と摺動自在に接している。
【０００５】
また、旋回鏡板５には、絞り機構１５が設けられており、高圧雰囲気にある潤滑油を、高圧と低圧の間の適正な圧力に減圧し、中間圧力室１６へ導入している。
【０００６】
上記構成により、電動機部（図示せず）の回転力が前記クランク軸７を介して伝達されると、圧縮機構１の吸入口１７から吸入された低圧流体は、複数個の圧縮空間３で順次圧縮され、吐出口１８から高圧流体となって吐出される。
【０００７】
圧縮機構１の動作により、複数個の圧縮空間３内部の圧力が上昇し、旋回スクロール４の旋回鏡板５が固定スクロール２から離れようとする離反力が作用する。一方、旋回鏡板５の反対面には、背圧仕切帯１４の内周側に高圧と、背圧仕切帯１４の外周側に中間圧の２種類の圧力（以下、これを背圧力と言う）が作用する。
【０００８】
これにより、前記離反力をこの背圧力で打ち消し、旋回スクロール４は常に固定スクロール２に適正な力で押し付けられ、圧縮空間３内部での漏れ損失を抑えるとともに、摺動損失を低減しており、高効率化を図っている。
【０００９】
背圧仕切帯１４は、特に始動直後あるいは運転条件などにより、その動作が不安定になりやすい。そのため、背圧仕切帯１４を旋回鏡板５に常に適正に付勢させるため、この背圧仕切帯１４と環状溝１０と間にばね部材１２を設置し、安定して背圧仕切帯１４を密封摺動させている。
【００１０】
さらに、背圧仕切帯１４は、その密封性等を考慮して、例えばＰＴＦＥ（四フッ化エチレン樹脂）などの比較的軟らかい樹脂系材料が採用される。そのため、ばね部材１２と背圧仕切帯１４との間にリング部材１３を設置し、旋回鏡板５に押圧される力が摺動接触面全体に均等化されるとともに、背圧仕切帯１４の部分的な摩耗の促進を抑え、高効率、高信頼性を実現している。
【００１１】
上記ばね部材１２およびリング部材１３は、具体的には図６に示すような形状および組み付けであり、それらの材料は、例えばＳＵＳ３０１−ＣＳＰ、ＳＵＳ３０４−ＣＳＰ（ばね用ステンレス鋼帯）や、ＳＫ５、Ｓ６０Ｃ（ばね用冷間圧延鋼帯）の薄板が用いられている。さらに、ばね部材１２は、この薄板を曲げ成形によって軸方向にばね力を持たせた波形形状としている。
【特許文献１】特開平８−６１２５８号公報
【発明の開示】
【発明が解決しようとする課題】
【００１２】
しかしながら、特に最近の厳しい低コスト化が望まれる中、わずかでも部品点数が少ない方が望ましい。特に、上記従来技術において、ばね部材やリング部材に用いられる前記のような材料は、比較的その材料単価が高く、低コスト化の妨げの一因となっていた。
【００１３】
また、圧縮機構を組み立てる際に、ばね部材とリング部材をそれぞれ設置する必要があり、組立工数の増加の一因となっていた。
【００１４】
本発明は、このような従来の課題を解決するものであり、背圧仕切帯を旋回鏡板に付勢させるばね部材とリング部材を一体化することで部品点数を減らして低コスト化を図り、さらには組立性を向上させたスクロール圧縮機を提供することを目的とする。
【課題を解決するための手段】
【００１５】
前記従来の課題を解決するために本発明は、切り起こし部を設けた切り起こし付きリング部材を用いたものである。
【発明の効果】
【００１６】
切り起こし付きリング部材により、ばね部材とリング部材の両方の作用効果を得ることができるとともに、部品点数、組立工数を削減でき、コストを低減することができる。
【発明を実施するための最良の形態】
【００１７】
第１の発明は、圧縮機構を、固定スクロールと、この固定スクロールと互いに噛み合わせて複数個の圧縮空間を形成するように配設した旋回スクロールと、この旋回スクロールの自転を防止するオルダムリングと、前記旋回スクロールを駆動するクランク軸と、このクランク軸を支承する軸受部材とで構成し、前記旋回スクロールの旋回鏡板に二種類の圧力を作用させるために、前記軸受部材に環状溝を設け、この環状溝に、複数の切り起こしを設けたリング部材を介して背圧仕切帯を設置したものである。これにより、ばね部材とリング部材の両方の作用効果を得ることができるとともに、部品点数、組立工数を削減でき、コストを低減することができる。
【００１８】
第２の発明は、特に第１の発明において、リング部材に設けた複数の切り起こしの方向が互いに対であるとしたものである。これにより、第１の発明における作用効果に加えて、切り起こし部によるばね力のうち円周方向に作用する力が互いに打ち消されるので、リング部材の円周方向の安定性が良くなり、背圧仕切帯の動作も一層安定させることができる。
【００１９】
以下、本発明の実施の形態について図面を参照しながら説明する。なお、この実施の形態によって本発明は限定されるものではない。
【００２０】
また、図４ないし図６で説明した従来例と同一の構成については、同一番号を使用し、その作用の説明は省略する。
【００２１】
（実施の形態１）
図１は、本発明の第１の実施の形態におけるスクロール圧縮機に用いられる切り起こし付きリング部材の斜視図、また、図２は、同じく本発明の第１の実施の形態におけるスクロール圧縮機の切り起こし付きリング部材および背圧仕切帯の組み付け状態を示す斜視図である。
【００２２】
図１において、切り起こし付きリング部材１９は、複数の切り起こし部２０と、平面部２１とを有している。そして、図２に示すように、軸受部材８の軸方向支持部９に設けられた環状溝１０に、切り起こし付きリング部材１９の切り起こし部２０が溝側に、また、平面図２１が背圧仕切帯１４側になるように設置され、さらに背圧仕切帯１４が設置されている。
【００２３】
切り起こし付きリング部材１９は、切り起こし部２０のばね力を得るために、例えば、ばね用ステンレス鋼帯や、ばね用冷間圧延鋼帯の薄板を用いている。
【００２４】
背圧仕切帯１４は、特に始動直後あるいは運転条件などにより、その動作が不安定になりやすいが、切り起こし部２０のばね力により、背圧仕切帯１４を旋回鏡板５に安定して密封摺動させることができる。
【００２５】
さらに、背圧仕切帯１４が、その密封性等により比較的軟らかい樹脂系材料であっても、この背圧仕切帯１４は平面部２１を介して支持されるので、旋回鏡板５に押圧される力が摺動接触面全体に均等化することができ、背圧仕切帯１４の部分的な摩耗の促進を抑えることができる。
【００２６】
これにより、従来技術よりも部品点数を減らして低コスト化を図り、さらには組立性を向上させた高効率、高信頼性のスクロール圧縮機を得ることができる。
【００２７】
（実施の形態２）
図３は、本発明の第２の実施の形態におけるスクロール圧縮機に用いられる切り起こし付きリング部材の斜視図である。
【００２８】
図３において、切り起こし付きリング部材１９の複数の切り起こし部２０は、同一面側に互いに対であるようにしている。
【００２９】
これにより、前記実施の形態１における作用および効果と同じく、背圧仕切帯１４を旋回鏡板５に安定して密封摺動させ、また、背圧仕切帯１４の部分的な摩耗の促進を抑えることができるとともに、切り起こし部によるばね力のうち円周方向に作用する力が互いに打ち消されるので、リング部材の円周方向の安定性が良くなり、背圧仕切帯の動作も一層安定させることができる。
【００３０】
また、上記実施の形態においては、軸受部材の軸方向支持部に環状溝を設け、この環状溝に切り起こし付きリング部材と背圧仕切帯とを設置する構成としたが、代わりに、前記軸方向支持部と対面する旋回鏡板に環状溝を設けて、この環状溝に切り起こし付きリング部材と背圧仕切帯とを設置する構成としても良い。
【００３１】
また、上記実施の形態において、切り起こし付きリング部材の材料を、ばね用ステンレス鋼帯や、ばね用冷間圧延鋼帯の薄板、また、背圧仕切帯を樹脂系材料である場合で説明したが、これらに限るものではない。
【産業上の利用可能性】
【００３２】
以上のように、本発明にかかるスクロール圧縮機は、高効率、高信頼性、低コスト化を実現でき、スクロール圧縮機に限らず、二種類の圧力を作用させる構成に幅広く適用することができる。
【図面の簡単な説明】
【００３３】
【図１】本発明の実施の形態１におけるスクロール圧縮機に用いられる切り起こし付きリング部材の斜視図
【図２】本発明の第１の実施の形態におけるスクロール圧縮機の切り起こし付きリング部材および背圧仕切帯の組み付け状態を示す斜視図
【図３】本発明の実施の形態２におけるスクロール圧縮機に用いられる切り起こし付きリング部材の斜視図
【図４】従来のスクロール圧縮機の要部断面図
【図５】従来のスクロール圧縮機における背圧仕切帯の要部断面図
【図６】従来のスクロール圧縮機におけるばね部材、リング部材、および背圧仕切帯の組み付け状態を示す斜視図
【符号の説明】
【００３４】
１  圧縮機構
２  固定スクロール
３  圧縮空間
４  旋回スクロール
５  旋回鏡板
８  軸受部材
９  軸方向支持部
１０  環状溝
１１  微小隙間
１２  ばね部材
１３  リング部材
１４  背圧仕切帯
１９  切り起こし付きリング部材
２０  切り起こし部
２１  平面部
【図１】
2009121379.tif 000003
【図２】
2009121379.tif 000004
【図３】
2009121379.tif 000005
【図４】
2009121379.tif 000006
【図５】
2009121379.tif 000007
【図６】
2009121379.tif 000008